(57)【特許請求の範囲】
【請求項１】
工作機械の主軸（５）と一体に回転する回転盤（２２）と、加工対象物を３方向から把持するため該回転盤（２２）の周方向に間隔をもって設けられ該回転盤（２２）の径方向に進退される３個の爪受台（２３）と、該各爪受台（２３）にそれぞれ固定ボルト（２６）を用いて着脱可能に設けられ前記加工対象物を３方向から挟込むように把持する３個の生爪（２４）とを備え、
該各生爪（２４）は、中心側に前記固定ボルト（２６）が挿通される取付穴（２４Ａ）を有し、外周縁側が該取付穴（２４Ａ）を中心として正六角形状をなす角部（２４Ｂ）となったブロック体により構成してなる工作機械用生爪チャックにおいて、
前記各爪受台（２３）には、その長さ方向中間部に形成された凹窪溝からなる位置合わせ溝（２３Ａ）と、該位置合わせ溝（２３Ａ）の前，後に位置して前記爪受台（２３）の長さ方向に延び前記生爪（２４）側に向けて突出する前，後の係合凸部（２３Ｂ），（２３Ｃ）と、該係合凸部（２３Ｂ），（２３Ｃ）の長さ方向中間位置を貫通して前記回転盤（２２）の軸方向に延び前記固定ボルト（２６）が選択的に螺着される２つのねじ穴（２３Ｄ），（２３Ｅ）と、前記係合凸部（２３Ｂ），（２３Ｃ）のうち後側の係合凸部（２３Ｃ）の後端側端面により形成される位置合わせ面（２３Ｆ）とを設け、
前記生爪（２４）と爪受台（２３）との間には、中央部に前記生爪（２４）の取付穴（２４Ａ）を介して前記固定ボルト（２６）が挿通される挿通穴（２５Ａ，４２Ａ）を有し、表面側に前記生爪（２４）を廻止め状態で保持する保持部を有したアダプタ（２５，４２）を設け、
かつ該アダプタ（２５，４２）の裏面側には、前記爪受台（２３）に対して該アダプタ（２５，４２）を位置決めするため、前記挿通穴（２５Ａ，４２Ａ）よりも後側に位置して前記爪受台（２３）の位置合わせ溝（２３Ａ）と位置合わせ面（２３Ｆ）とのいずれかに選択的に係合する段差部（２５Ｅ，４２Ｄ）と、前記アダプタ（２５，４２）の前端側から前記挿通穴（２５Ａ，４２Ａ）を横切るように該段差部（２５Ｅ，４２Ｄ）の位置まで直線状に延び前記爪受台（２３）の係合凸部（２３Ｂ），（２３Ｃ）のうちいずれか一方の係合凸部に嵌合する凹溝（２５Ｆ，４２Ｅ）とを設ける構成としたことを特徴とする工作機械用生爪チャック。
【請求項２】
前記アダプタ（２５）の保持部は、前記生爪（２４）の各角部（２４Ｂ）間に位置する互いに平行な平面部（２４Ｃ）に左，右両側から係合して前記生爪（２４）の廻止めを行う一対のストッパ突起（２５Ｃ），（２５Ｃ）により構成してなる請求項１に記載の工作機械用生爪チャック。
【請求項３】
前記生爪（２４）には前記取付穴（２４Ａ）と各角部（２４Ｂ）との間に間隔をもって複数の係合穴（４１）を設け、前記アダプタ（４２）の保持部は、該各係合穴（４１）に選択的に係合して前記生爪（２４）の廻止めを行うスプリング付勢式のロック機構（４３）により構成してなる請求項１に記載の工作機械用生爪チャック。
【請求項４】
前記各爪受台（２３）に取付けた３個の生爪（２４）間には、前記加工対象物の曲率に沿って各生爪（２４）の角部（２４Ｂ）を削り加工するときに前記各生爪（２４）間に挟持状態で配置される心出し治具（２７）を取外し可能に設け、該心出し治具（２７）は、環状のリング（２８）と、該リング（２８）に３方向から螺合して設けられ頭部側が前記生爪（２４）の角部（２４Ｂ）に当接するように該リング（２８）の径方向に進退される３個の調節ボルト（２９）とにより構成してなる請求項１，２または３に記載の工作機械用生爪チャック。
【発明の詳細な説明】
【０００１】
【発明の属する技術分野】
本発明は、例えば旋盤等の工作機械で加工対象物を切削加工するときに加工対象物を把持するのに好適に用いられる工作機械用生爪チャックに関する。
【０００２】
【従来の技術】
一般に、旋盤等の工作機械は、加工対象物を把持するためのチャックを備え、該チャックで把持した加工対象物を主軸を中心にして回転駆動しつつ、加工対象物に対してバイト等の刃先を送込むことにより、例えば円筒削り、端面削り、段削り、内面削り等の切削、研削作業を行うものである。
【０００３】
そして、この種の従来技術によるチャックには、工作機械の主軸と一体に回転する回転盤と、加工対象物を３方向から把持するため該回転盤の周方向に間隔をもって設けられ該回転盤の径方向に進退される３個の爪受台と、該各爪受台にそれぞれ着脱可能に設けられ前記加工対象物を３方向から挟込むように把持する３個の生爪とからなる工作機械用生爪チャックが知られている。
【０００４】
ここで、生爪チャックは、一般に三つ爪チャック、連動チャックとも呼称されるスクロールチャックの一種であり、ＪＩＳでは「生爪スクロールチャック」として規格されている。
【０００５】
そして、普通のチャックは把持爪が硬く変形しないのに対し、生爪は加工対象物の寸法、形状に合わせて適宜に爪先が削り加工されるもので、比較的軟質の鉄材（例えば、Ｓ４５Ｃ）等により細長い直方体状のブロックとして形成されるものである。
【０００６】
このため、生爪を用いて加工対象物を把持するときには、生爪の爪先が加工対象物の外面形状にフィット（適合）することにより、その仕上げ面に把持痕等の傷痕等を残こすことなく、加工対象物を把持できるという利点がある。
【０００７】
【発明が解決しようとする課題】
ところで、上述した従来技術による生爪チャックは、鉄等の金属材料により細長い直方体状のブロックとして形成されているに過ぎないため、例えば生爪の爪先を一つの加工対象物の寸法、形状に合わせて削り加工した後には、この加工対象物専用の生爪として使用しなければならず、他の加工対象物には別の生爪を用意せざるを得ないという問題がある。
【０００８】
即ち、加工対象物の曲率は、例えば１ｍｍでも変化すると、生爪の爪先が加工対象物の外面形状にフィット（適合）できなくなり、その仕上げ面に把持痕等の傷痕を残し易いので、加工対象物の形状が僅かに変化する場合でも生爪の爪先形状を削り加工する必要がある。
【０００９】
このため、旋盤等の工場には、これまでに削り加工した加工対象品毎の生爪が多数本残され、これらの生爪が高く積上げた状態で放置されていることが多く、生爪の収納、管理に余分な手間が掛かり、工場内の限られたスペースを有効に活用できないという問題が生じている。
【００１０】
そして、従来技術によるものは、一つの生爪を複数の加工対象物に対し汎用性をもって使用することができないため、加工対象物毎に別の生爪に取替える必要が生じ、生爪の取替え作業に多大の労力と時間を費やすばかりでなく、旋盤加工時の作業性を低下させる原因にもなり、生産性を向上できない等の問題がある。
【００１１】
本発明は上述した従来技術の問題に鑑みなされたもので、本発明の目的は、生爪を正六角形状のブロック体として形成することにより、合計６個の角部をそれぞれ異なる爪先形状に削り加工でき、多数の加工対象物に対し高い汎用性をもって使用することができるようにした工作機械用生爪チャックを提供することにある。
【００１２】
【課題を解決するための手段】
上述した課題を解決するために、本発明は、工作機械の主軸と一体に回転する回転盤と、加工対象物を３方向から把持するため該回転盤の周方向に間隔をもって設けられ該回転盤の径方向に進退される３個の爪受台と、該各爪受台にそれぞれ固定ボルトを用いて着脱可能に設けられ前記加工対象物を３方向から挟込むように把持する３個の生爪とを備え、該各生爪は、中心側に前記固定ボルトが挿通される取付穴を有し、外周縁側が該取付穴を中心として正六角形状をなす角部となったブロック体により構成してなる工作機械用生爪に適用される。
【００１３】
そして、請求項１の発明が採用する構成の特徴は、前記各爪受台には、その長さ方向中間部に形成された凹窪溝からなる位置合わせ溝と、該位置合わせ溝の前，後に位置して前記爪受台の長さ方向に延び前記生爪側に向けて突出する前，後の係合凸部と、該各係合凸部の長さ方向中間位置を貫通して前記回転盤の軸方向に延び前記固定ボルトが選択的に螺合される２つのねじ穴と、前記各係合凸部のうち後側の係合凸部の後端側端面により形成される位置合わせ面とを設け、前記生爪と爪受台との間には、中央部に前記生爪の取付穴を介して前記固定ボルトが挿通される挿通穴を有し、表面側に前記生爪を廻止め状態で保持する保持部を有したアダプタを設け、かつ該アダプタの裏面側には、前記爪受台に対して該アダプタを位置決めするため、前記挿通穴よりも後側に位置して前記爪受台の位置合わせ溝と位置合わせ面とのいずれかに選択的に係合する段差部と、前記アダプタの前端側から前記挿通穴を横切るように該段差部の位置まで直線状に延び前記爪受台の各係合凸部のうちいずれか一方の係合凸部に嵌合する凹溝とを設ける構成としたことにある。
【００１４】
このように構成することにより、正六角形のブロック体からなる生爪は、合計６個の角部を互いに異なる爪先形状に削り加工することができ、それぞれの角部を異なる形状の加工対象物に対する把持用の爪先として使用できる。そして、生爪は多数の加工対象物に対し、その外面（曲面）形状にフィットする爪先形状の角部を選択的に用いることにより、加工対象物を確実に安定して把持でき、加工対象物の表面に把持痕等の傷痕が発生するのを良好に防止することができる。
【００１５】
また、爪受台と生爪との間には、中央部に固定ボルト用の挿通穴を有し表面側に生爪を廻止め状態に保持する保持部を有したアダプタを設け、該アダプタの裏面側には、前記爪受台に対してアダプタを位置決めするため前記爪受台の位置合わせ溝または位置合わせ面に選択的に係合する段差部と、前記爪受台の前，後の係合凸部のうち一方の係合凸部に嵌合する凹溝とを設けているので、これらの段差部と凹溝とによりアダプタを爪受台に対して位置決めでき、この状態でアダプタ上に生爪を配置すれば、アダプタの保持部により生爪を廻止め状態に保持できる。
【００１６】
そして、その後は生爪の取付穴から固定ボルトをアダプタの挿通穴に挿通してボルト先端側を爪受台のねじ穴に螺着することにより、前記生爪をアダプタと共に爪受台に強固に締結でき、この状態で生爪を爪受台と一緒に回転盤の径方向に動かすことができる。
【００１７】
また、請求項２の発明は、アダプタの保持部を、生爪の各角部間に位置する互いに平行な平面部に左，右両側から係合して前記生爪の廻止めを行う一対のストッパ突起により構成している。これにより、アダプタの表面側に設けた左，右一対のストッパ突起は、生爪の各角部間に位置する互いに平行な平面部に左，右両側から係合し、生爪を廻止め状態に保持することができる。
【００１８】
一方、請求項３の発明によると、生爪には取付穴と各角部との間に間隔をもって複数の係合穴を設け、アダプタの保持部は、該各係合穴に選択的に係合して前記生爪の廻止めを行うスプリング付勢式のロック機構により構成している。
【００１９】
これにより、アダプタに設けたスプリング付勢式のロック機構は、生爪のいずれかの係合穴に選択的に係合して生爪を廻止め状態に保持することができる。そして、例えば前記固定ボルトを緩めたときには、生爪をアダプタ上で前記スプリングに抗して回転することができ、これによって、生爪の廻止め位置を簡単に変えることができ、生爪の各角部を把持用の爪先として選択的に使用できる。
【００２０】
さらに、請求項４の発明によると、各爪受台に取付けた３個の生爪間には、加工対象物の曲率に沿って各生爪の角部を削り加工するときに前記各生爪間に挟持状態で配置される心出し治具を取外し可能に設け、該心出し治具は、環状のリングと、該リングに３方向から螺合して設けられ頭部側が前記生爪の角部に当接するように該リングの径方向に進退される３個の調節ボルトとにより構成している。
【００２１】
これにより、例えば４０〜５０ｍｍ以上の外径を有する円筒体または円柱体等を削り加工するとき等には、３個の生爪間に予め心出し治具を配置し、各調節ボルトの頭部を各生爪の爪先となる角部に当接させた状態で、各生爪間に心出し治具を挟込むように挟持できる。そして、この状態で回転盤を回転させることにより、円筒体（加工対象物）の曲率に沿って各生爪の角部を削り加工でき、角部毎の削り代を均一化できると共に、爪先形状にバラツキが発生するのを抑えることができる。
【００２２】
【発明の実施の形態】
以下、本発明の実施の形態による工作機械用生爪チャックを、旋盤に適用した場合を例に挙げ、添付図面を参照して詳細に説明する。
【００２３】
ここで、図１ないし図１５は本発明の第１の実施の形態を示している。図中、１は工作機械としての旋盤、２は該旋盤１の基台で、該基台２の上面側には左，右方向に延びるベッド３が設けられている。
【００２４】
４はベッド３の一側に位置して基台２上に設けられた主軸台で、該主軸台４には、主軸モータ（図示せず）により回転駆動される主軸５等が設けられている。そして、この主軸５には後述の生爪チャック２１が取付けられ、図１、図２に示すように生爪チャック２１は、主軸５の軸線Ｏ−Ｏを中心にして主軸５と一体に回転駆動されるものである。
【００２５】
６は旋盤１の往復台を示し、該往復台６は、ベッド３の下側に位置して基台２の側面に設けられたガイドレール７に沿って、該ガイドレール７の長手方向（図１中の左，右方向）に自動または手動で移動されるものである。
【００２６】
８は往復台６に設けられた縦送りハンドルで、該縦送りハンドル８は、旋盤１のオペレータによって手動で回転操作され、これにより往復台６はガイドレール７に沿って移動される。
【００２７】
９は旋盤１の起動、停止等を手動操作するための起動レバーで、該起動レバー９はオペレータによって傾転操作されることにより、例えば前記主軸モータ等を起動または停止させるものである。
【００２８】
１０は往復台６上に設けられた横送り台で、該横送り台１０はオペレータが横送りハンドル１１を手動で回転操作することにより、ベッド３を横切る方向（ガイドレール７の長手方向と直交する方向）に移動されるものである。
【００２９】
１２は往復台６上に設けられた刃物台で、該刃物台１２にはバイト等の切削刃物（図示せず）が着脱可能に取付けられる。そして、刃物台１２は刃物台送りハンドル１３を手動で回転操作することにより、例えば図１中の左，右方向に移動され、往復台６に対する相対位置が微調整されるものである。
【００３０】
これにより、刃物台１２に固定されたバイト（切削刃物）は、往復台６と一緒にガイドレール７の長手方向に自動または手動で移動されると共に、刃物台送りハンドル１３により往復台６に対する相対位置が微調整される。また、オペレータが横送りハンドル１１を回転操作したときには、刃物台１２が横送り台１０と一緒にベッド３を横切る方向に移動され、バイトの先端は加工対象物に対する切込み深さ等が調整されるものである。
【００３１】
１４は刃物台１２の固定レバーで、該固定レバー１４はオペレータによって手動操作され、ロック位置とロック解除位置とに傾転される。そして、固定レバー１４は、ロック解除位置へと傾転したときに刃物台１２が横送り台１０上で垂直軸回りに回転（旋回）するのを許し、逆にロック位置へと傾転したときには刃物台１２の回転を阻止（ロック）するものである。
【００３２】
１５はベッド３の他側に位置して基台２上に設けられた心押台で、該心押台１５は、例えば長尺の丸棒を切削加工するとき等に、後述の生爪チャック２１との間で丸棒の両端側を支持し、丸棒（加工対象物）を心合わせ状態に保持すると共に、丸棒の心振れ等を抑えるものである。
【００３３】
また、心押台１５にも固定レバー１６等が設けられ、該固定レバー１６もオペレータが手動操作することによって、ロック位置とロック解除位置とに傾転される。そして、固定レバー１６をロック解除位置へと傾転したときには、ハンドル１７の回転操作に従って心押台１５がベッド３の長手方向に移動され、固定レバー１６をロック位置に傾転したときには心押台１５の移動を阻止（ロック）することができる。
【００３４】
次に、２１は本実施の形態で採用した生爪チャックで、該生爪チャック２１は図１、図２に示すように、主軸５の軸線Ｏ−Ｏを中心にして主軸５と一体に反時計回り方向（図２中の矢示Ａ方向）に回転する回転盤２２と、該回転盤２２の周方向に間隔をもって設けられ回転盤２２の径方向に進退される３個の爪受台２３，２３，…と、後述の生爪２４およびアダプタ２５等とにより構成されている。
【００３５】
ここで、回転盤２２には、図２に示す如く軸穴２２Ａを中心として放射状に３方向に延びる３個のガイド溝２２Ｂ，２２Ｂ，…が設けられ、該各ガイド溝２２Ｂは回転盤２２の周方向に１２０度の間隔をもって配置されている。そして、各ガイド溝２２Ｂにはそれぞれ爪受台２３が、例えば図１３中の矢示Ｂ，Ｃ方向に摺動変位可能に取付けられている。
【００３６】
また、回転盤２２には、各爪受台２３を回転盤２２の径方向（図１３中の矢示Ｂ，Ｃ方向）に進退させるためのスクロール式送りねじ機構（図示せず）が内蔵され、回転盤２２の外周側には、この送りねじ機構を径方向外側から駆動するためのチャックハンドル（図示せず）が着脱可能に取付けられる。
【００３７】
そして、旋盤１のオペレータがチャックハンドルを一方向に回転操作したときには、各爪受台２３が前記送りねじ機構を介して互いに接近する方向（図１３中の矢示Ｂ方向）に駆動され、前記チャックハンドルを逆方向に回転操作したときには、各爪受台２３が前記送りねじ機構を介して互いに離間する方向（図１３中の矢示Ｃ方向）に駆動されるものである。
【００３８】
また、各爪受台２３には、図３に示す如く長さ方向中間部に形成された凹窪溝からなる位置合わせ溝２３Ａと、該位置合わせ溝２３Ａの前，後に位置して上向きに突出した係合凸部２３Ｂ，２３Ｃと、該係合凸部２３Ｂ，２３Ｃの中間位置を貫通するように軸線Ｏ−Ｏと平行に延びるねじ穴２３Ｄ，２３Ｅとが設けられている。
【００３９】
そして、爪受台２３は係合凸部２３Ｃの後端側端面が位置合わせ面２３Ｆとなり、該位置合わせ面２３Ｆとねじ穴２３Ｅとの間隔は、位置合わせ溝２３Ａとねじ穴２３Ｄとの間隔と等しい寸法に形成されている。これにより、後述のアダプタ２５は、爪受台２３に対し位置合わせ溝２３Ａと位置合わせ面２３Ｆとのいずれかに一方に選択的に位置決めされるものである。
【００４０】
２４，２４，…は各爪受台２３にアダプタ２５等を介して着脱可能に設けられる生爪で、該生爪２４は、例えば機械構造用炭素鋼（Ｓ４５Ｃ）等の横断面が正六角形状なす金属製六角柱材を、一定長さ（例えば３０〜５０ｍｍ程度の高さ寸法）毎に切断することにより、図２ないし図５に示す如く正六角形状のブロック体として形成されている。
【００４１】
そして、生爪２４の中心側には後述の固定ボルト２６が挿通される取付穴２４Ａが穿設され、該取付穴２４Ａは図８に示す如く段付穴として形成されている。この場合、取付穴２４Ａは下部側が大径の嵌合穴部２４Ａ１  として形成され、該嵌合穴部２４Ａ１  は、後述するアダプタ２５のボス部２５Ｂにほぼ一致する寸法に形成されている。
【００４２】
また、生爪２４の外周縁側は、図４、図５に示すように取付穴２４Ａを中心として正六角形状をなす合計６個の角部２４Ｂ，２４Ｂ，…となり、該各角部２４Ｂ間には合計６個の平面部２４Ｃ，２４Ｃ，…となっている。そして、各角部２４Ｂは互いに隣り合う平面部２４Ｃ，２４Ｃ間で１２０度の角度をもって形成されている。
【００４３】
このため、図１４に例示する如く３個の生爪２４を、互いに接近させるように矢示Ｂ方向に移動したときには、各生爪２４の爪先となる角部２４Ｂが、両側の平面部２４Ｃと共にぴったりと重なるように衝合され、このときに各生爪２４間で後述の如く最小径（例えば、１ｍｍ程度）の加工対象物を挟持することが可能となる。
【００４４】
また、生爪２４の各角部２４Ｂのうち、例えば図１５に示す角部２４Ｂ１  には後述の切欠き凹部３１等が切削加工され、この切欠き凹部３１は、図２に示す後述の円柱体３０に対応した曲率半径ｒをもって形成される。そして、生爪２４は切欠き凹部３１が円柱体３０を把持するときの爪先となり、これによって、円柱体３０に対する傷痕（把持痕）等の発生が抑えられるものである。
【００４５】
即ち、生爪２４は図２、図３に示す如く後述の固定ボルト２６等を用いてアダプタ２５と共に爪受台２３上に取付けられ、爪受台２３が矢示Ｂ方向に駆動されるときに先端側の角部２４Ｂが爪先となって、円柱体３０等の加工対象物を３方向から挟込むように把持するものである。
【００４６】
このため、図１５に例示するように生爪２４の角部２４Ｂ１  ，２４Ｂ２  ，２４Ｂ３  ，…には、加工対象物の外径寸法に対応した後述の切欠き凹部３１，３３，…等がそれぞれ削り加工され、生爪２４はこれらの切欠き凹部３１，３３等を各加工対象物にフィット（適合）する爪先として、加工対象物を３方向から把持するときに用いるものである。
【００４７】
２５、２５，…は生爪２４を爪受台２３上に固定するためのアダプタで、該アダプタ２５は生爪２４よりも硬質の金属材を用いて図３、図６、図７および図９に示す如く形成され、その中央部には板厚方向（上下方向）に貫通して延びる固定ボルト２６用の挿通穴２５Ａと、該挿通穴２５Ａの周囲に位置して上向きに突出する筒状のボス部２４Ｂとが設けられている。
【００４８】
また、アダプタ２５の表面側にはボス部２５Ｂの径方向に離間して左，右一対のストッパ突起２５Ｃ，２５Ｃが設けられ、該各ストッパ突起２５Ｃは、生爪２４の各平面部２４Ｃのうち互いに平行となる平面部２４Ｃ，２４Ｃに左，右両側から係合することにより、生爪２４を廻止め状態に保持する保持部を構成するものである。
【００４９】
このとき、アダプタ２５のボス部２５Ｂには、生爪２４の嵌合穴部２４Ａ１  が摺動可能に嵌合され、この状態で生爪２４はアダプタ２５の表面側に重ね合せるように固定されるものである。また、アダプタ２５の前端側にはほぼ１２０度の角度をもった角部２５Ｄが設けられ、該角部２５Ｄと挿通穴２５Ａとの間隔は、生爪２４の角部２４Ｂと取付穴２４Ａとの間の間隔よりも僅かに短い寸法に形成されている。
【００５０】
一方、アダプタ２５の裏面側には、図７に示す如く挿通穴２５Ａよりも後側に位置して爪受台２３の位置合わせ溝２３Ａまたは位置合わせ面２３Ｆのいずれかに選択的に係合する段差部２５Ｅと、前端側の角部２５Ｄの位置から挿通穴２５Ａを横切るように段差部２５Ｅの位置まで直線状に延びる凹溝２５Ｆとが設けられている。
【００５１】
そして、該凹溝２５Ｆは、爪受台２３の係合凸部２３Ｂ，２３Ｃのいずれか一方に上側から嵌合（係合）し、アダプタ２５を爪受台２３に対して廻止め状態で位置決めする位置決め部を段差部２５Ｅと共に構成するものである。
【００５２】
この場合、加工対象物である円柱体３０の半径ｒが、例えば５０ｍｍを基準として基準寸法以上のときには、アダプタ２５の段差部２５Ｅを爪受台２３の位置合わせ面２３Ｆに係合させるようにしてアダプタ２５が爪受台２３に位置決めされる。また、前記半径ｒが基準寸法より小さいときには、アダプタ２５の段差部２５Ｅを爪受台２３の位置合わせ溝２３Ａに係合させることによりアダプタ２５の位置決めが行われる。
【００５３】
また、凹溝２５Ｆの後端側には段差部２５Ｅの一部を円弧状に切欠くことにより切欠溝２５Ｇが形成されている。さらに、アダプタ２５の裏面側には、凹溝２５Ｆの後端側から段差部２５Ｅに沿って左，右方向に延びる浅底溝２５Ｈ，２５Ｈが形成され、該各浅底溝２５Ｈおよび切欠溝２５Ｇは、爪受台２３に対する段差部２５Ｅの当接面に付着した摩耗粉等をこの当接面から逃がすための逃がし溝となっている。
【００５４】
なお、アダプタ２５の表面側にはボス部２５Ｂの周囲に浅底の環状溝２５Ｊが形成され、該環状溝２５Ｊは、生爪２４の嵌合穴部２４Ａ１  とボス部２５Ｂとの間から摩耗粉等を逃がすための逃がし溝を構成するものである。
【００５５】
２６は生爪２４をアダプタ２５と共に爪受台２３に固定する固定ボルトで、該固定ボルト２６は、図３に示す如く六角穴付ボルト等からなり、その頭部２６Ａにはレンチ等の工具が係合する有底の六角穴２６Ｂが形成されている。そして、固定ボルト２６は、爪受台２３上にアダプタ２５および生爪２４を組付けた状態で生爪２４の取付穴２４Ａおよびアダプタ２５の挿通穴２５Ａ内に挿通され、その先端側が爪受台２３のねじ穴２３Ｄまたは２３Ｅに螺着される。
【００５６】
これにより、固定ボルト２６は生爪２４、アダプタ２５を爪受台２３に強固に固定し、図２に示すように円柱体３０等の加工対象物を各生爪２４の角部２４Ｂ側で３方向から挟込むように把持したときに、生爪２４が爪受台２３に対し僅かでも位置ずれするのを防ぐものである。
【００５７】
次に、２７は図１２に示すように各生爪２４間に配置される心出し治具で、該心出し治具２７は、図１０、図１１に示すように環状のリング２８と、該リング２８に螺合して径方向に移動（進退）可能となった３個の調節ボルト２９，２９，…とにより構成されている。
【００５８】
ここで、各調節ボルト２９はリング２８の周方向に約１２０度の間隔をもって配設され、リング２８に対する螺合位置が３方向で個別に調節される。そして、円柱体３０等の加工対象物を削り加工するとき等には、図１２に例示するように３個の生爪２４間に予め心出し治具２７を配置し、各調節ボルト２９をそれぞれの頭部２９Ａが各生爪２４の角部２４Ｂに当接する位置まで回転させる。
【００５９】
これにより、心出し治具２７の各調節ボルト２９は、各生爪２４の角部２４Ｂ間に強く挟込むように挟持され、この状態で各生爪２４の心振れ等を抑えると共に、各生爪２４毎の削り代（例えば、図１５に示す切欠き凹部３１等の削り代）を均一化する機能等を有するものである。
【００６０】
本実施の形態による旋盤１用の生爪チャック２１は上述の如き構成を有するもので、次に、その作動について説明する。
【００６１】
まず、回転盤２２に設けた３個の爪受台２３に対してそれぞれアダプタ２５および生爪２４を組付け、この状態で生爪２４の取付穴２４Ａおよびアダプタ２５の挿通穴２５Ａ内に固定ボルト２６を挿通し、その先端側を爪受台２３のねじ穴２３Ｄまたは２３Ｅに螺着することにより、固定ボルト２６で生爪２４、アダプタ２５を爪受台２３に強固に締着する。
【００６２】
そして、旋盤１の加工対象物として図２に示す如く、半径ｒの円柱体３０を旋盤加工（切削加工）する場合を例に挙げると、円柱体３０の外面形状にぴったりとフィットするように生爪２４の角部２４Ｂを削り加工し、図１５に例示するように切欠き凹部３１を形成する必要がある。
【００６３】
そこで、この場合には、まず前記チャックハンドルを用いて回転盤２２の各爪受台２３を図１２中の矢示Ｂ，Ｃ方向に移動させ、各生爪２４の爪先となる角部２４Ｂが円柱体３０の外径寸法（半径ｒ）よりも径方向内側に位置するように生爪２４を配置する。そして、この状態で３個の生爪２４間に図１２に示すように心出し治具２７を配置し、各調節ボルト２９をリング２８に対して適宜に回転させ、その頭部２９Ａを各生爪２４の角部２４Ｂに当接させる。
【００６４】
この作業は、旋盤１のオペレータにとっては数秒もかからないで簡単に行うことができる。また、心出し治具２７は調節ボルト２９の頭部２９Ａをアダプタ２５側に近付けるように各生爪２４間に奥深く押し込んで行うのがよい。また、各生爪２４の角部２４Ｂ間で心出し治具２７の調節ボルト２９の頭部２９Ａを強く挟み込むように、前記チャックハンドルを適宜に回して各爪受台２３を図１２中の矢示Ｂ方向に進出させる。
【００６５】
これにより、各生爪２４は心出し治具２７からの反力で爪受台２３および回転盤２２にしっかりと固定され、回転盤２２を回転駆動するときに爪受台２３と生爪２４とが互いに異なるモードで振動することがなくなり、後述の如く生爪２４間で円柱体３０を把持して旋盤加工を行うときとほぼ同様のモードで、回転盤２２、各爪受台２３および各生爪２４を図２中の矢示Ａ方向に回転駆動できる。
【００６６】
そして、各生爪２４間に心出し治具２７を把持したままの状態で、回転盤２２を回転駆動しつつ、図１に示す刃物台１２を生爪２４の爪先（角部２４Ｂ）側に近付け、バイトの先端で生爪２４の角部２４Ｂを削り加工する。即ち、図１２に中に二点鎖線で示す円弧（円柱体３０の外形状）に沿って各生爪２４の角部２４Ｂはバイトにより削り加工される。
【００６７】
これによって、各生爪２４の爪先となる角部２４Ｂには図３、図１５に示す如き切欠き凹部３１が形成される。そして、心出し治具２７を用いて各生爪２４間の心振れ等を抑制することにより、切欠き凹部３１の曲率を加工対象物である円柱体３０の曲率（半径ｒ）とほぼ一致させることができ、各生爪２４毎の削り代（切欠き凹部３１の削り代）を均一化できると共に、その爪先形状にバラツキが発生するのを抑えることができる。
【００６８】
次に、切欠き凹部３１の削り加工後には、前記チャックハンドルを緩み方向に回して各爪受台２３を矢示Ｃ方向に後退させ、各生爪２４の間から心出し治具２７を取外し、この状態で図１３に示すように各生爪２４間に加工対象の円柱体３０を配置する。そして、今度は前記チャックハンドルを締付け方向に回して各爪受台２３を矢示Ｂ方向に進出させ、各生爪２４の切欠き凹部３１間で円柱体３０を挟み込むように把持する。
【００６９】
次に、この状態で図２に示すように生爪チャック２１全体を矢示Ａ方向に回転駆動しつつ、生爪２４から軸方向に突出している円柱体３０の外周面（生爪２４で把持されていない部分）にバイトを用いて円筒削り等の旋盤加工を行う。
【００７０】
そして、例えば円柱体３０の外周面を１ｍｍ程度切り込むように円筒削りを行った場合には、この切り込み深さ（例えば、１ｍｍ）に見合った次なる切欠き凹部、例えば図１５中に二点鎖線で示す切欠き凹部３１′を、前回と同様の作業を繰返して削り加工し、円柱体３０の残りの加工部分（前回の旋盤加工により削り残した部分）を前回と同様の切り込み深さをもって円筒削りする。
【００７１】
これにより、円柱体３０の外周面全体を均一な円筒面に旋盤加工（円筒削り）することができ、このときには例えば図１５中の切欠き凹部３１′が円柱体３０の外周面と曲率がぴったり一致するので、円柱体３０の外周面に生爪２４による把持痕等の傷痕が生じるのを確実に防止でき、円筒削りした円柱体３０の商品価値を高めることができる。
【００７２】
また、図１４に示すように小径の円柱体３２（例えば、図１０に示す心出し治具２７から各調節ボルト２９を取外した状態のリング２８よりも外径が小さい加工対象物）を旋盤加工する場合には、各爪受台２３を図１４中の矢示Ｂ方向に移動させて各生爪２４を互いに接近させ、各生爪２４を爪先（角部２４Ｂ）側が円柱体３２の外径寸法よりも径方向内側に位置するように配置する。
【００７３】
次に、この状態で再び回転盤２２を回転駆動しつつ、図１に示す刃物台１２を生爪２４の爪先（角部２４Ｂ）側に近付け、バイトの先端で生爪２４の角部２４Ｂを削り加工する。即ち、図１４に中に二点鎖線で示す円弧（円柱体３２の外形状）に沿って各生爪２４の角部２４Ｂをバイトにより削り加工する。
【００７４】
これによって、各生爪２４の爪先となる角部２４Ｂには図１５中に実線で例示するように小径円弧状の切欠き凹部３３を形成できる。そして、切欠き凹部３３の曲率を加工対象物である円柱体３２の曲率とほぼ一致させることができ、各生爪２４の爪先形状を均一化して形状のバラツキ等を抑えることができる。
【００７５】
次に、切欠き凹部３３の削り加工後には、前記チャックハンドルを緩み方向に回して各爪受台２３を一旦矢示Ｃ方向に後退させ、この状態で図１４に示すように各生爪２４間に加工対象の円柱体３２を配置する。そして、今度は前記チャックハンドルを締付け方向に回して各爪受台２３を矢示Ｂ方向に進出させ、各生爪２４の切欠き凹部３３間で円柱体３２を挟み込むように把持し、前回とほぼ同様に円柱体３２を旋盤加工する。
【００７６】
この場合でも、円柱体３２の外周面全体を均一な円形面に旋盤加工することができ、このときには例えば図１５中の切欠き凹部３３等が円柱体３２の外周面と曲率がぴったり一致するので、円柱体３２の外周面に生爪２４による把持痕等の傷痕が生じるのを確実に防止でき、旋盤加工した円柱体３２の商品価値を高めることができる。
【００７７】
また、生爪２４を取付穴２４Ａを中心にして回転させ、アダプタ２５に適宜に組付けることにより、生爪２４の各角部２４Ｂをそれぞれ複数の加工対象物に対応した把持用の爪先として活かすことができる。そして、生爪２４は前述した切欠き凹部３１，３１′，３３等を各加工対象物の外周面にフィットさせ、加工対象物を３方向から安定して把持することができる。
【００７８】
この場合、図１５に示す如く切欠き凹部３１，３１′，３３等は、生爪２４の角部２４Ｂ１  に段階的に形成してもよく、これ以外の角部２４Ｂ２  ，２４Ｂ３  ，２４Ｂ４  ，２４Ｂ５  ，２４Ｂ６  にも選択的に削り加工することができ、全ての角部２４Ｂ１  〜２４Ｂ６  を互いに異なる形状の爪先として活用できる。
【００７９】
かくして、本実施の形態にあっては、旋盤１の生爪チャック２１に用いる生爪２４を正六角形状をなすブロック体から形成しているので、生爪２４の合計６個の角部２４Ｂを互いに異なる爪先形状に削り加工でき、それぞれの角部２４Ｂを異なる形状の加工対象物に対する把持用の爪先として使用できる。
【００８０】
そして、当該生爪２４は多数の加工対象物に対し、その外面（曲面）形状にフィットする爪先形状に削り加工した角部２４Ｂを選択的に用いることにより、加工対象物を確実に安定して把持でき、加工対象物の表面に把持痕等の傷痕が発生するのを良好に防止することができる。
【００８１】
また、生爪チャック２１の回転盤２２側に設けたそれぞれの爪受台２３と生爪２４との間には、図３に示す如くアダプタ２５を配置する構成としているので、アダプタ２５の裏面側に形成した段差部２５Ｅおよび凹溝２５Ｆを用いてアダプタ２５を爪受台２３に対し容易に位置決めでき、この状態でアダプタ２５上に生爪２４を配置すれば、アダプタ２５のストッパ突起２５Ｃにより生爪２４を廻止め状態に保持できる。
【００８２】
そして、その後は生爪２４の取付穴２４Ａから固定ボルト２６を挿通してボルト先端側を爪受台２３のねじ穴２３Ｄ，２３Ｅに適宜に螺着することにより、生爪２４をアダプタ２５と共に爪受台２３に強固に締結でき、この状態で生爪２４を爪受台２３と一緒に回転盤２２の径方向に安定させて動かすことができる。
【００８３】
この場合、アダプタ２５の裏面側に形成した段差部２５Ｅは、爪受台２３の位置合わせ溝２３Ａ、位置合わせ面２３Ｆのいずれかに選択的に係合し、凹溝２５Ｆは爪受台２３の係合凸部２３Ｂ，２３Ｃのいずれか一方に上側から嵌合する。そして、例えば加工対象物である円柱体３０の半径ｒが基準寸法（例えば、５０ｍｍ）以上のときには、アダプタ２５の段差部２５Ｅを爪受台２３の位置合わせ面２３Ｆに係合させるように取付けることにより、アダプタ２５を爪受台２３に対し正確に位置決めすることができる。
【００８４】
このため、爪受台２３を図２中の矢示方向大きく後退させたときには、例えば２００ｍｍにも及ぶ外径寸法の円柱体３０（例えば、半径ｒが１００ｍｍ程度）も、各生爪２４間で挟み込むように把持でき、大径の加工対象物にも容易に対処することができる。
【００８５】
また、前記半径ｒが基準寸法より小さいときには、アダプタ２５の段差部２５Ｅを爪受台２３の位置合わせ溝２３Ａに係合させることにより、アダプタ２５を爪受台２３に対し安定して位置決めすることができる。
【００８６】
そして、この場合には、図１４に例示する如く３個の生爪２４を互いに接近させるように矢示Ｂ方向に移動させたときに、各生爪２４の爪先となる角部２４Ｂが、両側の平面部２４Ｃと共にぴったりと重なるように衝合することができ、例えば１ｍｍ程度の外径寸法をもった加工対象物を各生爪２４間で挟み込むように把持しつつ、その外周面等を正確に旋盤加工することができる。
【００８７】
また、アダプタ２５の表面側に設けた左，右一対のストッパ突起２５Ｃ，２５Ｃは、生爪２４の各角部２４Ｂ間に位置する互いに平行な平面部２４Ｃに左，右両側から係合するので、生爪２４の６個の角部２４Ｂを選択的に爪先として用いる場合にも、それぞれに対応した平面部２４Ｃと係合して生爪２４を廻止め状態に保持することができる。
【００８８】
また、比較的外径の大きい円柱体（例えば、半径ｒが１０〜２０ｍｍ以上の外径を有する円筒体または円柱体３０）等を削り加工するときには、３個の生爪２４間に予め心出し治具２７を配置し、各調節ボルト２９の頭部２９Ａを各生爪２４の爪先となる角部２４Ｂに当接させた状態で、各生爪２４間に心出し治具２７を挟込むように挟持できる。
【００８９】
これにより、各生爪２４を心出し治具２７からの反力で爪受台２３および回転盤２２にしっかりと固定でき、回転盤２２を回転駆動するときに爪受台２３と生爪２４とが互いに異なるモードで振動するのを防止できると共に、生爪２４間で円柱体３０等を把持して旋盤加工を行うときにもほぼ同様のモードで、回転盤２２、各爪受台２３および各生爪２４を回転駆動できる。そして、生爪２４毎の削り代を均一化でき、爪先形状にバラツキが発生するのを抑えることができる。
【００９０】
従って、本実施の形態によれば、生爪２４を正六角形状のブロック体として形成することにより、合計６個の角部２４Ｂをそれぞれ異なる爪先形状に削り加工でき、多数の加工対象物に対し３個の生爪２４のみで対処できると共に、当該生爪２４の汎用性を大幅に高めることができる。
【００９１】
この結果、旋盤１の工場等でストックしておくべき生爪２４の個数を大幅に削減でき、工場内の限られたスペースを有効に活かすことができる。また、生爪２４の取り替え工数を大幅に減らすことができ、旋盤１を用いた加工時の作業性を高め、生産性を向上することができる。
【００９２】
次に、図１６ないし図２２は本発明の第２の実施の形態を示し、本実施の形態では前記第１の実施の形態と同一の構成要素に同一の符号を付し、その説明を省略するものとする。
【００９３】
しかし、本実施の形態の特徴は、生爪２４の下面側に複数の係合穴４１，４１，…を設け、アダプタ４２には該各係合穴４１に選択的に係合して生爪２４の廻止めを行うスプリング付勢式のロック機構４３を設ける構成としたことにある。
【００９４】
ここで、各係合穴４１は、図１８に示す如く生爪２４の取付穴２４Ａと角部２４Ｂとの間に形成された有底穴からなり、取付穴２４Ａの周方向にほぼ６０度の間隔をもって配設されている。そして、係合穴４１の穴径は後述するボール４４の外径寸法にほぼ対応しているものである。
【００９５】
また、アダプタ４２は第１の実施の形態で述べたアダプタ２５に対しストッパ突起２５Ｃを除いてほぼ同様に構成され、挿通穴４２Ａ、ボス部４２Ｂ、角部４２Ｃ、段差部４２Ｄ、凹溝４２Ｅ、切欠溝４２Ｆ、浅底溝４２Ｇ，４２Ｇおよび環状溝４２Ｈ等を有している。
【００９６】
しかし、アダプタ４２には、生爪２４に形成した係合穴４１と対応する位置に小径のボール収容穴４２Ｊ（以下、収容穴４２Ｊという）がアダプタ４２の板厚方向に穿設されている。そして、収容穴４２Ｊは、図２２に示す如く上端側がボール４４の外径よりも僅かに小径に形成され、ボール４４が収容穴４２Ｊから抜け出るのを防ぐ構成となっている。
【００９７】
また、スプリング付勢式のロック機構４３は、図２２に示す如く収容穴４２Ｊ内に挿入された鋼球等からなるボール４４と、収容穴４２Ｊの下端側に螺合され、収容穴４２Ｊを下側から閉塞した栓具４５と、収容穴４２Ｊ内に位置してボール４４と栓具４５との間に配設されたスプリング４６とから構成されている。
【００９８】
この場合、ボール４４はスプリング４６により図２２に示す如く常時上向きに付勢され、スプリング４６の付勢力は栓具４５の螺合位置に応じて調整される。そして、アダプタ４２に設けたロック機構４３のボール４４は、生爪２４の各係合穴４１のうちいずれかに選択的に係合し、この状態で生爪２４をアダプタ４２に対し廻止め状態に保持することができる。
【００９９】
かくして、このように構成される本実施の形態にあっても、前記第１の実施の形態とほぼ同様の作用効果を得ることができ、生爪２４の各角部２４Ｂをそれぞれ異なる爪先形状に削り加工できると共に、多数の加工対象物に対し３個の生爪２４のみで対処でき、当該生爪２４の汎用性を大幅に高めることができる。
【０１００】
即ち、本実施の形態にあっても、図１６に例示したように回転盤２２に設けた爪受台２３に対しアダプタ４２を介して生爪２４を組付け、この状態で生爪２４の取付穴２４Ａ、アダプタ４２の挿通穴４２Ａ内に固定ボルト２６を挿通し、その先端側を爪受台２３のねじ穴２３Ｄまたは２３Ｅに螺着する。
【０１０１】
これにより、固定ボルト２６で生爪２４を爪受台２３にアダプタ４２を介して強固に締着でき、アダプタ４２に設けたロック機構４３のボール４４は、生爪２４の係合穴４１に係合することによって、この状態で生爪２４をアダプタ４２に対し廻止め状態に保持するすることができる。
【０１０２】
また、例えば固定ボルト２６を緩めたときには、生爪２４をアダプタ４２上でボス部４２Ｂを中心として回転させれば、ロック機構４３のボール４４を生爪２４の下面によりスプリング４６に抗して押圧し、生爪２４をアダプタ４２上で相対回転することができる。
【０１０３】
そして、例えば生爪２４を６０度程度回転させたときには、ロック機構４３のボール４４を次なる係合穴４１に係合でき、この状態で生爪２４をアダプタ４２に対し再び廻止め状態に保持できる。これにより、アダプタ４２に対する生爪２４の廻止め位置を簡単に変えることができ、生爪２４の各角部２４Ｂを把持用の爪先として選択的に使用できる。
【０１０４】
なお、前記各実施の形態では、旋盤１用の生爪チャック２１に適用した場合を例に挙げて説明したが、本発明はこれに限るものではなく、例えばボール盤、マシニングセンタ等の各種の工作機械にも適用でき、加工対象物としては薄物、厚物を問わずに適用できるものである。
【０１０５】
【発明の効果】
以上詳述した通り、請求項１に記載の発明によれば、回転盤の径方向に進退される各爪受台にそれぞれ固定ボルトを用いて着脱可能に設けられる生爪を、正六角形状のブロック体により形成し、前記各爪受台には、位置合わせ溝、前，後の係合凸部、２つのねじ穴および位置合わせ面を設け、前記爪受台と生爪との間には、中央部に前記固定ボルト用の挿通穴を有し表面側に前記生爪を廻止め状態に保持する保持部を有したアダプタを設け、該アダプタの裏面側には、前記爪受台に対してアダプタを位置決めするため前記爪受台の位置合わせ溝または位置合わせ面に選択的に係合する段差部と、前記爪受台の前，後の係合凸部のうち一方の係合凸部に嵌合する凹溝とを設ける構成としたので、正六角形のブロック体からなる生爪の各角部を互いに異なる爪先形状に削り加工でき、それぞれの角部を異なる形状の加工対象物に対する把持用の爪先として使用できる。そして、生爪は多数の加工対象物に対し、その外面（曲面）形状にフィットする爪先形状の角部を選択的に用いることにより、加工対象物を確実に安定して把持でき、加工対象物の表面に把持痕等の傷痕が発生するのを防止できる。
【０１０６】
従って、正六角形状のブロック体からなる生爪を多数の加工対象物に対し高い汎用性をもって使用でき、工作機械の工場等でストックしておくべき生爪の個数を削減し、工場内の限られたスペースを有効に活かすことができると共に、生爪の取り替え工数を大幅に減らすことができ、作業性を高め、生産性を向上することができる。
【０１０７】
また、前記爪受台と生爪との間には、中央部に固定ボルト用の挿通穴を有し表面側に生爪を廻止め状態に保持する保持部を有したアダプタを設け、該アダプタの裏面側には、前記爪受台に対してアダプタを位置決めするため前記爪受台の位置合わせ溝または位置合わせ面に選択的に係合する段差部と、前記爪受台の前，後の係合凸部のうち一方の係合凸部に嵌合する凹溝とを設けているので、これらの段差部と凹溝とによりアダプタを爪受台に対して位置決めでき、この状態でアダプタ上に生爪を配置すれば、アダプタの保持部により生爪を廻止め状態に保持できる。そして、その後は生爪の取付穴から固定ボルト等を挿通してボルト先端側を爪受台のねじ穴に螺着することにより、生爪をアダプタと共に爪受台に強固に締結でき、この状態で生爪を爪受台と一緒に回転盤の径方向に動かし生爪チャックとして作動することができる。
【０１０８】
また、請求項２に記載の発明は、アダプタの保持部を、生爪の各角部間に位置する互いに平行な平面部に左，右両側から係合して前記生爪の廻止めを行う一対のストッパ突起により構成しているため、アダプタの表面側に設けた左，右一対のストッパ突起を、生爪の互いに平行な平面部に左，右両側から係合させ、生爪を廻止め状態に保持でき、生爪を爪受台に安定させて固定することができる。
【０１０９】
一方、請求項３に記載の発明によると、生爪には取付穴と各角部との間に間隔をもって複数の係合穴を設け、アダプタの保持部は該各係合穴に選択的に係合して前記生爪の廻止めを行うスプリング付勢式のロック機構により構成しているので、アダプタに設けたスプリング付勢式のロック機構により生爪を廻止め状態に保持でき、爪受台に安定させて固定することができる。そして、例えば固定ボルトを緩めたときには、生爪をアダプタ上で前記スプリングに抗して回転することができ、これによって、生爪の廻止め位置を簡単に変えることができ、生爪の各角部を把持用の爪先として選択的に使用できる。
【０１１０】
さらに、請求項４に記載の発明は、各爪受台に取付けた３個の生爪間には、加工対象物の曲率に沿って各生爪の角部を削り加工するときに前記各生爪間に挟持状態で配置される心出し治具を取外し可能に設ける構成としているため、外径の比較的大きい円筒体または円柱体等を削り加工するとき等には、３個の生爪間に予め心出し治具を配置し、各調節ボルトの頭部を各生爪の爪先となる角部に当接させた状態で、各生爪間に心出し治具を挟込むように挟持できる。そして、この状態で回転盤を回転させることにより、円筒体（加工対象物）の曲率に沿って各生爪の角部を削り加工でき、角部毎の削り代を均一化できると共に、爪先形状にバラツキが発生するのを抑えることができる。
【図面の簡単な説明】
【図１】本発明の第１の実施の形態による生爪チャックが適用された旋盤を示す全体図である。
【図２】図１中の生爪チャックを単体で示す斜視図である。
【図３】図２に示す回転盤、爪受台、生爪、アダプタおよび固定ボルト等の分解斜視図である。
【図４】図３に示す生爪の平面図である。
【図５】図４に示す生爪の底面図である。
【図６】図３に示すアダプタの平面図である。
【図７】図６に示すアダプタの底面図である。
【図８】図４の生爪を矢示ＶＩＩＩ−ＶＩＩＩ方向から拡大して示す断面図である。
【図９】図６のアダプタを矢示ＩＸ−ＩＸ方向から拡大して示す断面図である。
【図１０】心出し治具を示す平面図である。
【図１１】図１０に示す心出し治具の斜視図である。
【図１２】心出し治具を生爪チャックに取付けた状態を示す正面図である。
【図１３】加工対象となる大径の円柱体を把持した状態の生爪チャックを示す正面図である。
【図１４】加工対象となる小径の円柱体を把持した状態の生爪チャックを示す正面図である。
【図１５】爪先を削り加工した状態の生爪を拡大して示す斜視図である。
【図１６】第２の実施の形態による生爪チャックの回転盤、爪受台、生爪、アダプタおよび固定ボルト等を示す分解斜視図である。
【図１７】図１６に示す生爪の平面図である。
【図１８】図１７に示す生爪の底面図である。
【図１９】図１６に示すアダプタの平面図である。
【図２０】図１９に示すアダプタの底面図である。
【図２１】図１７の生爪を矢示ＸＸＩ−ＸＸＩ方向から拡大して示す断面図である。
【図２２】図１９のアダプタを矢示ＸＸＩＩ−ＸＸＩＩ方向から拡大して示す断面図である。
【符号の説明】
１  旋盤（工作機械）
２  基台
３  ベッド
４  主軸台
５  主軸
１２  刃物台
２１  生爪チャック
２２  回転盤
２３  爪受台
２４  生爪
２４Ａ  取付穴
２４Ｂ  角部
２４Ｃ  平面部
２５，４２  アダプタ
２５Ａ，４２Ａ  挿通穴
２５Ｂ，４２Ｂ  ボス部
２５Ｃ  ストッパ突起（保持部）
２５Ｅ，４２Ｄ  段差部（位置決め部）
２５Ｆ，４２Ｅ  凹溝（位置決め部）
２６  固定ボルト
２７  心出し治具
２８  リング
２９  調節ボルト
３０，３２  円柱体（加工対象物）
３１，３１′，３３  切欠き凹部
４１  係合穴
４３  ロック機構（保持部）
【図１】
0003581308.tif 000002
【図２】
0003581308.tif 000003
【図３】
0003581308.tif 000004
【図４】
0003581308.tif 000005
【図５】
0003581308.tif 000006
【図６】
0003581308.tif 000007
【図７】
0003581308.tif 000008
【図８】
0003581308.tif 000009
【図９】
0003581308.tif 000010
【図１０】
0003581308.tif 000011
【図１１】
0003581308.tif 000012
【図１２】
0003581308.tif 000013
【図１３】
0003581308.tif 000014
【図１４】
0003581308.tif 000015
【図１５】
0003581308.tif 000016
【図１６】
0003581308.tif 000017
【図１７】
0003581308.tif 000018
【図１８】
0003581308.tif 000019
【図１９】
0003581308.tif 000020
【図２０】
0003581308.tif 000021
【図２１】
0003581308.tif 000022
【図２２】
0003581308.tif 000023